(57)【要約】【課題】壁に止め具を打ち込む作業を効率的に行うことが可能な打ち込み装置を提供する。【解決手段】建物の内壁ＣのボードＣ１にビスＡを打ち込む打ち込み部８０と、打ち込み部８０を昇降させる昇降部３０と、空気圧によって昇降部３０を駆動させる駆動部４０と、を具備し、昇降部３０は、駆動部４０からの動力によって伸縮することで打ち込み部８０を昇降させるものであり、駆動部４０は、昇降部３０の伸縮量を調整する調整部６０を具備する。【選択図】図１
2020146772.tif 000002
【特許請求の範囲】
【請求項１】
建物の壁に止め具を打ち込む打ち込み部と、
前記打ち込み部を昇降させる昇降部と、
前記昇降部を駆動させる駆動部と、
を具備する、
打ち込み装置。
【請求項２】
前記昇降部は、
前記駆動部からの動力によって伸縮することで前記打ち込み部を昇降させるものであり、
前記駆動部は、
前記昇降部の伸縮量を調整する調整部を具備する、
請求項１に記載の打ち込み装置。
【請求項３】
前記昇降部は、
前記駆動部からの動力で駆動しない非可動部と、
前記駆動部からの動力で駆動して前記非可動部に対して移動可能に構成されると共に、前記打ち込み部が取り付けられる可動部と、
を具備し、
前記打ち込み装置は、
前記非可動部の上部、又は、前記可動部に取り付けられる把持部をさらに具備する、
請求項２に記載の打ち込み装置。
【請求項４】
前記把持部は、
前記昇降部に対して上下に揺動可能に構成される、
請求項３に記載の打ち込み装置。
【請求項５】
前記駆動部は、
空気圧によって前記昇降部を駆動させるエアーコンプレッサを具備する、
請求項１から請求項４までのいずれか一項に記載の打ち込み装置。
【請求項６】
前記打ち込み部は、
前記止め具を回転させて前記壁に前記止め具を打ち込むように構成される、
請求項１から請求項５までのいずれか一項に記載の打ち込み装置。
【請求項７】
前記打ち込み部は、
前記止め具を保持する先端部を前記壁に押し付けることで前記止め具の回転を開始する、
請求項６に記載の打ち込み装置。
【発明の詳細な説明】
【技術分野】
【０００１】
本発明は、建物の壁に止め具を打ち込む打ち込み部を具備する打ち込み装置の技術に関する。
【背景技術】
【０００２】
従来、建物の壁に止め具を打ち込む打ち込み部を具備する打ち込み装置の技術は公知となっている。例えば、特許文献１に記載の如くである。
【０００３】
特許文献１に記載される連続ビス打ち機（打ち込み装置）は、内壁ボード（壁）にビス（止め具）をねじ込むドライバユニット部と、ドライバユニット部へビスを送り込むビス送り部と、により構成された打ち込み部を具備する。前記連続ビス打ち機は、ビス送り部によりドライバユニット部へビスを１つずつ送り込むことで、ビスを連続して打ち込むことができる。
【０００４】
しかし、特許文献１に記載される連続ビス打ち機を用いて内壁ボードの高いところ（例えば、手の届かないところ）にビスを打ち込む場合、作業者は脚立等に昇る必要がある。このように、連続ビス打ち機を用いて内壁ボードにビスを打ち込む場合には、脚立を用いる必要がある（脚立の昇り降りが必要になる）ため、ビスを打ち込む作業を効率的に行うことが困難であった。
【先行技術文献】
【特許文献】
【０００５】
【特許文献１】特開２０１０−１４２９００号公報
【発明の概要】
【発明が解決しようとする課題】
【０００６】
本発明は、以上の如き状況を鑑みてなされたものであり、その解決しようとする課題は、壁に止め具を打ち込む作業を効率的に行うことが可能な打ち込み装置を提供するものである。
【課題を解決するための手段】
【０００７】
本発明の解決しようとする課題は以上の如くであり、次にこの課題を解決するための手段を説明する。
【０００８】
即ち、請求項１においては、建物の壁に止め具を打ち込む打ち込み部と、前記打ち込み部を昇降させる昇降部と、前記昇降部を駆動させる駆動部と、を具備するものである。
【０００９】
請求項２においては、前記昇降部は、前記駆動部からの動力によって伸縮することで前記打ち込み部を昇降させるものであり、前記駆動部は、前記昇降部の伸縮量を調整する調整部を具備するものである。
【００１０】
請求項３においては、前記昇降部は、前記駆動部からの動力で駆動しない非可動部と、前記駆動部からの動力で駆動して前記非可動部に対して移動可能に構成されると共に、前記打ち込み部が取り付けられる可動部と、を具備し、前記打ち込み装置は、前記非可動部の上部、又は、前記可動部に取り付けられる把持部をさらに具備するものである。
【００１１】
請求項４においては、前記把持部は、前記昇降部に対して上下に揺動可能に構成されるものである。
【００１２】
請求項５においては、前記駆動部は、空気圧によって前記昇降部を駆動させるエアーコンプレッサを具備するものである。
【００１３】
請求項６においては、前記打ち込み部は、前記止め具を回転させて前記壁に前記止め具を打ち込むように構成されるものである。
【００１４】
請求項７においては、前記打ち込み部は、前記止め具を保持する先端部を前記壁に押し付けることで前記止め具の回転を開始するものである。
【発明の効果】
【００１５】
本発明の効果として、以下に示すような効果を奏する。
【００１６】
請求項１においては、壁に止め具を打ち込む作業を効率的に行うことができる。
【００１７】
請求項２においては、壁に止め具を打ち込む作業をより効率的に行うことができる。
【００１８】
請求項３においては、止め具を打ち込み精度を向上させることができる。
【００１９】
請求項４においては、止め具を打ち込む作業の作業性を向上させることができる。
【００２０】
請求項５においては、壁に止め具を打ち込む作業をより効率的に行うことができる。
【００２１】
請求項６においては、止め具を安定して打ち込むことができる。
【００２２】
請求項７においては、止め具を打ち込む作業の作業性を向上させることができる。
【図面の簡単な説明】
【００２３】
【図１】打ち込み装置の全体的な構成を示した斜視図。
【図２】調整部及び駆動部を示した概略背面図。
【図３】打ち込み部及び昇降部を示した側面図。
【図４】初期状態を示した側面図。
【図５】レバーを握った状態を示した概略背面図。
【図６】打ち込み部が上昇した状態を示した側面図。
【図７】ビスを打ち込む様子を示した側面図。
【図８】変形例に係る把持部を示した側面図。
【発明を実施するための形態】
【００２４】
以下の説明においては、図中に記した矢印に従って、上下方向、左右方向及び前後方向をそれぞれ定義する。
【００２５】
以下では、本実施形態に係る打ち込み装置１について説明する。
【００２６】
図１に示す打ち込み装置１は、建物の壁に止め具を打ち込むためのものである。なお、本実施形態において、止め具には、外周に雄ネジ部が形成されたもの（例えば、ビスＡ及びボルト等）と、外周に雄ネジ部が形成されていないもの（例えば、釘等）と、が含まれる。本実施形態に係る打ち込み装置１は、このような止め具として、ビスＡを打ち込むためのものである。
【００２７】
まず、建物の構造について簡単に説明する。
建物には、床Ｂが設けられ、当該床Ｂの縁部から上方へ立ち上がるように内壁Ｃが設けられる。内壁Ｃは、ボードＣ１及び下地Ｃ２（図４参照）を具備する。ボードＣ１は、枠状に形成された下地Ｃ２に対して建物の内側から当接される。ボードＣ１は、外縁部に所定のピッチを空けてビスＡが打ち込まれることで、下地Ｃ２に固定される。本実施形態に係る打ち込み装置１は、このようなボードＣ１にビスＡを打ち込む作業に用いられる。
【００２８】
以下では、図１から図３までを参照して打ち込み装置１の構成について説明する。なお、以下では、図１及び図３に示す、昇降部３０が最も下降した状態、かつ、打ち込み部８０が前を向いた状態を基準に打ち込み装置１の構成について説明する。
【００２９】
打ち込み装置１は、高さを調整しながらビスＡを打ち込み可能に構成される。本実施形態に係る打ち込み装置１は、内壁ＣのボードＣ１の高いところ（例えば、作業者が手を伸ばしても届かないようなところ）にビスＡを打ち込む用途に用いられる。打ち込み装置１は、台車部１０、支持部２０、昇降部３０、駆動部４０、把持部７０及び打ち込み部８０を具備する。
【００３０】
図１に示す台車部１０は、平板状の部材の下面に複数の車輪（不図示）を固定することによって構成される。当該台車部１０は、床Ｂを水平方向に移動することができる。
【００３１】
支持部２０は、後述する昇降部３０を支持するためのものである。支持部２０は、台車部１０に載置され、当該台車部１０の移動に伴って一体的に移動可能に構成される。支持部２０は、中心軸２１、脚部２２、上側接続部２３及び下側接続部２４を具備する。
【００３２】
図１及び図２に示す中心軸２１は、支持部２０の中心に配置される軸状の部材である。中心軸２１の上端及び下端は、他の部分よりも大径に形成される。中心軸２１は、その軸線方向を上下方向に向けて配置されると共に、略筒状に形成される。
【００３３】
脚部２２は、台車部１０と接する軸状の部材である。脚部２２は、中心軸２１の周方向に間隔を空けて３つ設けられ、中心軸２１の上端から下方へ向けて放射状に広がるように形成される。脚部２２は、上端部を中心に回動可能、かつ、軸線方向に伸縮可能に構成される。なお、図２及び後述する図５では、説明の便宜上、脚部２２の記載を省略している。
【００３４】
上側接続部２３は、中心軸２１と後述する昇降部３０とを接続する部分である。上側接続部２３は、中心軸２１に上方から取り付けられる。
【００３５】
下側接続部２４は、中心軸２１と後述する調整部６０とを接続する部分である。下側接続部２４は、中心軸２１に下方から取り付けられる。
【００３６】
図１及び図３に示す昇降部３０は、後述する打ち込み部８０を昇降させるためのものである。昇降部３０は、支持部２０の上方に配置される。昇降部３０は、固定部３１及び可動部３２を具備する。
【００３７】
固定部３１は、支持部２０の上側接続部２３に固定される筒状の部材である。固定部３１は、その軸線方向を上下方向に向けて配置される。固定部３１は、中心軸２１と連通されると共に、台車部１０の移動に伴って一体的に移動可能に構成される。
【００３８】
可動部３２は、固定部３１に対して上下方向に移動可能な部材である。可動部３２は、上端及び下端が閉塞された軸状に形成され、軸線方向を上下方向に向けて配置される。可動部３２の外径は、固定部３１の内径と略同一となるように形成される。可動部３２は、下端から上下中途部までが固定部３１内に配置されると共に、上部が固定部３１から上方へ突出するように配置される。当該可動部３２は、固定部３１に対して上下方向に摺動可能に構成される。可動部３２が摺動することで、昇降部３０は軸線方向（上下方向）に伸縮することができる。
【００３９】
図１及び図２に示す駆動部４０は、昇降部３０を駆動（伸縮）させるためのものである。駆動部４０は、エアーコンプレッサ５０及び調整部６０を具備する。
【００４０】
エアーコンプレッサ５０は、昇降部３０へ圧縮エアを供給するためのものである。本実施形態に係るエアーコンプレッサ５０は、台車部１０に載置されておらず、当該台車部１０とは一体的に移動しないように設けられる。
【００４１】
調整部６０は、昇降部３０の伸縮量を調整するためのものである。調整部６０は、中心軸２１とエアーコンプレッサ５０との間に配置される。調整部６０は、調整部本体６１、レバー６２、圧力計６３、第一ホース６４及び第二ホース６５を具備する。
【００４２】
調整部本体６１は、略Ｌ字状の部材である。調整部本体６１には、エアーコンプレッサ５０側から中心軸２１側へと圧縮エアを案内可能な案内通路と、当該案内通路を開閉するバルブと、が設けられる（不図示）。
【００４３】
レバー６２は、前記バルブを操作するための部材である。レバー６２は、調整部本体６１に揺動可能に支持される。レバー６２は、付勢部材によって初期位置（図２に示す握る前の位置）へ向けて付勢されると共に、所定の部材を介して前記バルブと連結される（不図示）。
【００４４】
圧力計６３は、昇降部３０（固定部３１）内の圧力を測定するためのものである。圧力計６３は、レバー６２の近傍に設けられる。
【００４５】
第一ホース６４は、調整部本体６１とエアーコンプレッサ５０とを接続する。第二ホース６５は、調整部本体６１と中心軸２１とを接続する。
【００４６】
このように構成される駆動部４０の調整部本体６１及びレバー６２は、作業者に握られる。これによって、レバー６２は、図２に示す初期位置から揺動され、前記バルブを動作させて前記案内通路を開放することができる。これにより、レバー６２は、第一ホース６４、調整部本体６１（前記案内通路）、第二ホース６５及び中心軸２１を介して、エアーコンプレッサ５０と昇降部３０の固定部３１とを連通することができる。また、レバー６２は、作業者が手を離すことで初期位置へ戻されて、前記バルブを動作させて前記案内通路を閉塞し、エアーコンプレッサ５０と固定部３１との連通状態を解除することができる。
【００４７】
図１及び図３に示す把持部７０は、作業者が握るためのものである。把持部７０は、軸部材７１、第一金具７２、第二金具７３及びピン７４を具備する。
【００４８】
軸部材７１は、軸線方向を後下方（前上方）に向けて配置され、昇降部３０の後方に配置される。軸部材７１は、筒状に形成される大径部７１ａと、当該大径部７１ａの内周面に対して摺動可能な小径部７１ｂと、により軸線方向に伸縮可能に構成される。小径部７１ｂは、大径部７１ａの後下方に配置される。軸部材７１は、大径部７１ａに対して小径部７１ｂが前上方へ摺動することで、縮小することができる。また、軸部材７１は、大径部７１ａに対して小径部７１ｂが後下方へ摺動することで、伸張することができる。このような軸部材７１は、伸縮量（長さ）を調整した状態を保持可能に構成される。
【００４９】
第一金具７２、第二金具７３及びピン７４は、軸部材７１を昇降部３０に取り付けるためのものである。第一金具７２は、軸部材７１の大径部７１ａの上端部に固定される。第二金具７３は、昇降部３０の可動部３２の上部に固定される。ピン７４は、第二金具７３に第一金具７２の前端部を回動可能に連結する。
【００５０】
このように構成される把持部７０の軸部材７１は、ピン７４を中心に可動部３２に対して上下に揺動可能に構成される。また、軸部材７１は、可動部３２の摺動（昇降部３０の伸縮）に応じて一体的に昇降する。
【００５１】
打ち込み部８０は、ボードＣ１にビスＡを打ち込む部分である。打ち込み部８０は、電動式のビス打ち装置によって構成される。打ち込み部８０は、打ち込み部本体８１、スライド部８２及び貯溜部８３を具備する。
【００５２】
打ち込み部本体８１は、ガン状に形成される。打ち込み部本体８１は、可動部３２の左方に配置されると共に、後部と可動部３２とが側面視で重複するように配置される。当該打ち込み部本体８１は、可動部３２の上部（第二金具７３が固定される部分よりも上方）に固定される。打ち込み部本体８１の内部には、電力が供給されると駆動するモータ、及び当該モータの駆動により回転するビット等が設けられる。
【００５３】
スライド部８２は、打ち込み部８０の先端部（前端部）である。スライド部８２は、打ち込み部本体８１に対して前後にスライド可能に構成される。
【００５４】
貯溜部８３は、ビスＡを貯溜するための中空の部分である。貯溜部８３は、所定の供給機構（不図示）を介してスライド部８２と連結される。貯溜部８３は、当該供給機構によってビスＡをスライド部８２内へ供給可能に構成される。
【００５５】
このように構成される打ち込み部８０は、ボードＣ１にスライド部８２が押し付けられることによって、当該ボードＣ１にビスＡを打ち込むことができる。具体的には、スライド部８２は、ボードＣ１に押し付けられると、後方へスライドして打ち込み部本体８１内に入り込む（収縮する）。このとき、スライド部８２内には貯溜部８３からビスＡが供給され、当該ビスＡが前記ビットによって回転される。当該ビスＡは、スライド部８２から前方へ押し出され、回転されながらボードＣ１を前方へと移動する。こうして、打ち込み部８０は、ボードＣ１にビスＡを打ち込むことができる。
【００５６】
次に、図４から図７までを参照して打ち込み装置１の動作について説明する。
【００５７】
なお、以下においては、図４の上端部に示す点ＰにビスＡを打ち込む作業を例に挙げて、打ち込み装置１の動作について説明する。また、以下では、図４に示す状態（点Ｐの下方にビスＡを打ち込んだ後の状態）を初期状態として、点Ｐへの打ち込み作業を説明する。
【００５８】
まず、点Ｐへの打ち込み作業において、作業者は、打ち込み部８０を上昇させる。このとき、作業者は、一方の手で把持部７０の軸部材７１を把持する。また、作業者は、他方の手で調整部６０の調整部本体６１及びレバー６２を握る。これにより、作業者は、図５に示すように、エアーコンプレッサ５０と昇降部３０の固定部３１とを連通し、エアーコンプレッサ５０からの圧縮エアを固定部３１に供給する（図５に矢印で示すエアの流れ参照）。
【００５９】
固定部３１に圧縮エアが供給されると、当該固定部３１内の圧力が上昇し、可動部３２の下面は上方へと押圧される。これによって、図６に示すように、可動部３２は、固定部３１に対して上方へ摺動する。こうして、昇降部３０は、可動部３２に固定された打ち込み部８０を上昇させる。
【００６０】
作業者は、このようなレバー６２の操作（握る動作）により、打ち込み部８０のスライド部８２が点Ｐと同じ高さ位置となるまで、当該打ち込み部８０を上昇させる。
【００６１】
次に、作業者は、図７に示すように、打ち込み部８０を前方へ移動させる。このとき、作業者は、例えば、支持部２０（脚部２２）の下端を中心に昇降部３０を前方へ傾斜させることで、打ち込み部８０を前方へ移動させる。これにより、打ち込み部８０をボードＣ１へ接近させてスライド部８２をボードＣ１（点Ｐ）と当接させる。この状態から打ち込み部８０をさらに前方へ移動させると、打ち込み部８０のスライド部８２はボードＣ１に押し付けられる。これによって、作業者は点ＰへビスＡを打ち込むことができる。
【００６２】
前述の如く、スライド部８２がボードＣ１に押し付けられると、貯溜部８３からスライド部８２内へビスＡが供給される。これにより、ビスＡをスライド部８２にセットする手間を省くことができるため、作業者は、打ち込み部８０の上昇とスライド部８２の押し付けとを繰り返し行うことができる。これによって、下から上へと連続してビスＡを打ち込むことができ、ビス打ちの作業を効率的に行うことができる。
【００６３】
本実施形態に係る打ち込み装置１によれば、昇降部３０により打ち込み部８０を上昇させることができるため、脚立等を昇らなくてもボードＣ１の高いところ（例えば、手が届かないところ）にビスＡを打ち込むことができる。これによれば、ボードＣ１にビスを打ち込む作業において作業者が脚立等を昇り降りしなくて済む。このため、ビスＡを打ち込む作業の負担を軽減することができると共に、ビスＡを打ち込む作業を効率的に行うことができる。
【００６４】
なお、打ち込み部８０を下降させる場合、作業者は、レバー６２を離して当該レバー６２を初期位置に戻す。これにより、作業者は、エアーコンプレッサ５０と固定部３１との連通状態を解除して、固定部３１への圧縮エアの供給を停止する。固定部３１内の圧縮エアは、固定部３１の内周と可動部３２の外周との隙間（摺動のための微細な隙間）等から僅かに漏れる。このため、圧縮エアの供給を停止すると、固定部３１内の圧力が徐々に低下し、可動部３２は、当該圧力の低下に伴って徐々に下方へ摺動する。こうして、作業者は、打ち込み部８０を下降させることができる。このように、調整部６０は、エアーコンプレッサ５０から固定部３１への圧縮エアの供給及び供給停止を切り替えることで、打ち込み部８０の昇降量（昇降部３０の伸縮量）を調整することができる。
【００６５】
また、本実施形態に係る駆動部４０は、エアーコンプレッサ５０によって昇降部３０を昇降させている。当該エアーコンプレッサ５０は、一般的に、建築現場において昇降部３０の昇降とは異なる他の用途（例えば、圧縮エアを利用してビスＡを打ち出すエアー工具の駆動源等）に用いられる。このため、建築現場には、一般的にエアーコンプレッサ５０が持ち込まれている。本実施形態に係る打ち込み装置１は、このような建築現場に一般的に持ち込まれるものを昇降部３０の駆動源としている。これによれば、建築現場に別途駆動源を持ち込まなくて済むため、打ち込み装置１の実用性を向上させることができる。
【００６６】
また、駆動部４０は、エアーコンプレッサ５０を用いることで、油圧で可動部３２を上昇させる場合よりも反応速度を速めることができる。これにより、レバー６２の操作で可動部３２を速やかに上昇させることができ、ビスＡを打ち込む作業を効率的に行うことができる。また、仮に本実施形態とは異なり、油圧で昇降部３０を昇降させると、流体（作動油）の漏れに起因して床Ｂ等が汚れてしまう可能性があるところ、本実施形態では圧縮エアで昇降部３０を昇降させている。これによれば、流体の漏れに起因して床Ｂ等が汚れるのを防止することができる。
【００６７】
また、作業者は、把持部７０（軸部材７１）を把持することで、打ち込み部８０の近傍を支えることができる。これにより、打ち込み装置１のバランスを取ることができるため、打ち込み部８０の移動を安定して行うことができる。これによって、安定してビスＡを打ち込むことができる。
【００６８】
また、把持部７０は、可動部３２に揺動可能に構成されることで、打ち込み部８０の移動に応じて軸部材７１を最適な向きにすることができる。具体的には、把持部７０は、打ち込み部８０の上昇に応じて上昇する（図６参照）。この場合、軸部材７１を下方へ揺動させれば、軸部材７１が縦（略上下方向）を向くようになって、軸部材７１の下端の位置を下げることができる。これによって、作業者は、軸部材７１を握り易くなる。また、打ち込み部８０を前方へ移動させる場合、軸部材７１を上方へ揺動させれば、軸部材７１が横（略前後方向）を向くようになって、スライド部８２をボードＣ１に押し付け易くなる。このように、打ち込み部８０の移動に応じて軸部材７１を最適な向きにすることで、ビス打ちの作業性を向上させることができる。
【００６９】
また、本実施形態に係る軸部材７１は、伸張することで長さが固定部３１の長さよりも長くなるように構成されている（図３参照）。当該構成によれば、軸部材７１は、下端の高さ位置をある程度下げることができる。このため、打ち込み部８０が上昇したとしても、作業者の手の届く範囲に軸部材７１の下端を位置させ易くすることができる。これにより、作業者が軸部材７１をより握り易くなる。
【００７０】
また、本実施形態に係る打ち込み装置１は、台車部１０を移動させることにより、打ち込み部８０を水平方向に簡単に移動させることができる。これにより、効率的にビスＡを打ち込むことができる。
【００７１】
以上の如く、本実施形態に係る打ち込み装置１は、建物のボードＣ１（壁）にビスＡ（止め具）を打ち込む打ち込み部８０と、前記打ち込み部８０を昇降させる昇降部３０と、前記昇降部３０を駆動させる駆動部４０と、を具備するものである。
【００７２】
このように構成することにより、ボードＣ１にビスＡを打ち込む作業を効率的に行うことができる。具体的には、打ち込み部８０を昇降させることで、ボードＣ１の高いところに簡単にビスＡを打ち込むことができる。これにより、脚立等を昇り降りしなくてもボードＣ１の高いところにビスＡを打ち込むことができる。
【００７３】
また、前記昇降部３０は、前記駆動部４０からの動力によって伸縮することで前記打ち込み部８０を昇降させるものであり、前記駆動部４０は、前記昇降部３０の伸縮量を調整する調整部６０を具備するものである。
【００７４】
このように構成することにより、調整部６０により昇降部３０の伸縮量を調整しながらビスＡを打ち込むことができる。このため、ビスＡを打ち込む作業をより効率的に行うことができる。
【００７５】
また、前記昇降部３０は、前記駆動部４０からの動力で駆動しない固定部３１（非可動部）と、前記駆動部４０からの動力で駆動して前記固定部３１に対して移動可能に構成されると共に、前記打ち込み部８０が取り付けられる可動部３２と、を具備し、前記打ち込み装置１は、前記固定部３１の上部、又は、前記可動部３２に取り付けられる把持部７０をさらに具備するものである。
なお、本実施形態において、固定部３１の上部とは、少なくとも固定部３１の上下中央部よりも上方であることを指す。
【００７６】
このように構成することにより、ビス打ちの精度を向上させることができる。具体的には、把持部７０を把持することで、打ち込み装置１のバランスを取りながらビスＡを打ち込むことができる。これにより、安定してビスＡを打ち込むことができる。
特に、把持部７０を可動部３２に取り付けることにより、ビスＡを打ち込む高さに関わらず、打ち込み部８０と把持部７０との高さの位置関係を維持することができる。これにより、把持部７０を把持した状態でビスＡを打ち込み易くすることができる。
【００７７】
また、前記把持部７０は、前記昇降部３０に対して上下に揺動可能に構成されるものである。
【００７８】
このように構成することにより、昇降部３０の昇降時及びビスＡの打ち込み時（打ち込み部８０の移動時）に把持部７０を最適な向きにすることができるため、ビス打ちの作業性を向上させることができる。
【００７９】
また、前記駆動部４０は、空気圧によって（圧縮エアの供給と供給停止とが切り替えられることで）前記昇降部３０を駆動させるエアーコンプレッサ５０を具備するものである。
【００８０】
このように構成することにより、調達し易いエアーコンプレッサ５０を用いて昇降部３０を駆動可能となるため、実用性を向上させることができる。
【００８１】
また、前記打ち込み部８０は、前記ビスＡを回転させて前記ボードＣ１に前記ビスＡを打ち込むように構成されるものである。
【００８２】
このように構成することにより、ビスＡの回転により当該ビスＡをボードＣ１に対して前方へ移動させることができる。これによれば、ビスＡを打ち込むときにボードＣ１から受ける反力を低減させることができるため、ビスＡを安定して打ち込むことができる。
【００８３】
また、前記打ち込み部８０は、前記ビスＡを保持するスライド部８２（先端部）を前記ボードＣ１に押し付けることで前記ビスＡの回転を開始するものである。
【００８４】
このように構成することにより、昇降部３０を移動させて打ち込み部８０のスライド部８２をボードＣ１に押し付ければ、打ち込み部８０を直接操作しなくても（例えば、打ち込み部本体８１に設けられたスイッチ等を押さなくても）ビスＡを打ち込み可能となる。このため、ビス打ちの作業性を向上させることができる。
【００８５】
なお、本実施形態に係る固定部３１は、本発明に係る非可動部の実施の一形態である。
また、本実施形態に係るスライド部８２は、本発明に係る打ち込み部の先端部の実施の一形態である。
【００８６】
以上、本発明の実施形態を説明したが、本発明は上記構成に限定されるものではなく、特許請求の範囲に記載された発明の範囲内で種々の変更が可能である。
【００８７】
例えば、本実施形態に係る打ち込み装置１は、内壁ＣのボードＣ１にビスＡを打ち込むものとしたが、ビスＡを打ち込む部材はボードＣ１に限定されるものではなく、壁を構成する他の部材であってもよい。
【００８８】
また、昇降部３０は、伸縮することで打ち込み部８０を昇降させるものとしたが、昇降部３０の構成はこれに限定されるものではなく、他の構成であってもよい。具体的には、昇降部３０は、例えば、床Ｂ及び天井に支持されたレールと、当該レールを昇降することで打ち込み部８０を昇降させる移動体と、を具備する構成等であってもよい。なお、昇降部３０は、本実施形態のように伸縮可能に構成されることで、構成を簡素化することができる。このため、打ち込み装置１のコストを低減することができると共に、実用性を向上させることができる。
【００８９】
また、駆動部４０は、空気圧によって（エアーコンプレッサ５０を用いて）昇降部３０を昇降させるものとしたが、昇降部３０を昇降させる手段は空気圧に限定されるものではなく、他の手段、例えば、油圧等であってもよい。
【００９０】
また、調整部６０は、レバー６２によって昇降部３０の伸縮量を調整するものとしたが、これに限定されるものではなく、例えば、押しボタン式のスイッチ等によって昇降部３０の伸縮量を調整してもよい。
【００９１】
また、把持部７０は、可動部３２に取り付けられるものとしたが、打ち込み装置１のバランスを取ることができれば、把持部７０が取り付けられる箇所はこれに限定されるものではない。例えば、図８に示す変形例に係る把持部１７０のように、昇降部３０の固定部３１（上下中央部よりも上方、図８では上端）に取り付けられるものであってもよい。この場合、把持部１７０は、第一金具７２と連結される第二金具１７３が固定部３１に固定される構成であればよい。また、把持部７０は、昇降部３０以外の部材（例えば、打ち込み部８０等）に取り付けられていてもよい。
【００９２】
また、把持部７０は、必ずしも昇降部３０に対して揺動可能に構成されている必要はなく、昇降部３０に固定されていてもよい。
【００９３】
また、本実施形態において、止め具はビスＡであるものとしたが、止め具の種類はこれに限定されるものではなく、ボルトや釘等であってもよい。また、止め具が釘である場合のように、止め具に雄ネジ部が形成されていない場合、打ち込み部８０は、必ずしも止め具を回転させる必要はなく、止め具を回転させずにボードＣ１に打ち込むものであってもよい。
【００９４】
また、打ち込み装置１は、打ち込み部８０を昇降可能であればよく、必ずしも台車部１０、支持部２０及び把持部７０を具備していなくてもよい。
【符号の説明】
【００９５】
１      打ち込み装置
３０    昇降部
４０    駆動部
８０    打ち込み部
Ｃ１    ボード（壁）
Ａ      ビス（止め具）
【図１】
2020146772.tif 000003
【図２】
2020146772.tif 000004
【図３】
2020146772.tif 000005
【図４】
2020146772.tif 000006
【図５】
2020146772.tif 000007
【図６】
2020146772.tif 000008
【図７】
2020146772.tif 000009
【図８】
2020146772.tif 000010